(57)【要約】【課題】  製本ライン中でＣＤ等の添付物２を貼り込むことの可能な装置を提供する。【解決手段】  製本ラインの丁合用の搬送チェーン４の横に、搬送チェーン４に保持されて走行する折丁１の走行経路に、貼込位置Ｐで小さい角度で交差するように且つ添付物２を、折丁１の垂直に対してなす角度にほぼ等しい角度に保持して案内するガイド手段７を設けると共に、その添付物２を折丁１の走行に同期して搬送する送り手段８を設け、更に、貼込位置Ｐに押さえコロ３５を、その上流に糊付与手段３８を配置し、貼込位置Ｐを通過中の折丁１に対して糊を付与した添付物２を重ね合わせ、押さえコロ３５で押圧して貼り込む構成とする。【選択図】  図１
2008030488.tif 000002
【特許請求の範囲】
【請求項１】
ほぼ水平に走行するように設けられた搬送チェーンであって、折丁を跨がらせた状態で且つ一定ピッチで保持して搬送する搬送チェーンと、折丁に貼り込むべき添付物を、前記搬送チェーンで搬送される折丁の走行経路上に設定した貼込位置に、その貼込位置を通過する折丁に同期して且つその折丁の添付物貼付領域にほぼ等しい角度で送り込み、前記貼込位置を通過する折丁の前記添付物貼付領域に添付物の折丁貼付領域を重ね合わせて行くように、前記添付物を供給する添付物供給装置と、前記貼込位置の上流に設けられ、前記折丁の添付物貼付領域若しくは前記添付物の折丁貼付領域に接着剤を付与する糊付与手段と、前記貼込位置に設けられ、前記添付物の折丁貼付領域を前記折丁に押し付ける押し付け手段とを有する添付物貼込装置。
【請求項２】
前記搬送チェーンが、折丁の走行経路の中央に固定して設けられているガイドの両側を走行するように配置され、折丁を斜め下方に傾斜した状態で保持するよう垂直に対して傾斜した支持面を備えた折丁保持部材と、それを支持するローラーチェーンと、搬送チェーンの長手方向に一定ピッチで配置された押し爪を備えており、前記押し付け手段が、折丁の、前記折丁保持部材で保持されている領域に前記添付物の折丁貼付領域を押し付けるように配置されていることを特徴とする請求項１記載の添付物貼込装置。
【請求項３】
前記押し付け手段が、折丁の、前記折丁保持部材で保持されている領域に前記添付物の折丁貼付領域を押し付けるように配置された押さえコロを備えており、該押さえコロは、外周の一部に、前記搬送チェーンの押し爪が通過する際に干渉しないようにするための切り欠きを備えると共に外周長さを前記搬送チェーンの押し爪のピッチに等しく設定しており、更に、前記押さえコロは前記搬送チェーンの走行に同期して回転駆動される構成であることを特徴とする請求項２記載の添付物貼込装置。
【発明の詳細な説明】
【技術分野】
【０００１】
本発明は、雑誌等を構成する折丁に対して、ＣＤ−ＲＯＭ等の添付物を貼り込むための添付物貼込装置に関する。
【背景技術】
【０００２】
最近、雑誌に、各種の添付物、例えば、ＣＤ−ＲＯＭ等を紙袋に入れたもの、化粧品のサンプルを塗布した台紙、葉書或いは封筒等を貼り込むことが行われている。雑誌に対して添付物を貼り込む従来の方法は、製本ライン（丁合ライン）とは別に設けた貼込装置で折丁に添付物を貼り込むとか、手作業で折丁に添付物を貼り込むという方法であった。
【０００３】
このように、従来は製本ラインとは別個の工程で添付物の貼り込みを行うため、工数が増え、生産性が低下するという問題があった。特に、添付物がＣＤ−ＲＯＭの場合には、取り扱いにくいため、手作業で行っており、一層費用がかかっていた。
【０００４】
また、従来の貼込装置は、折丁を、進行方向にはほぼ水平で、それに直角方向には少し傾斜した搬送路に乗せ、折丁の一方の側縁を搬送路の低い側に搬送路に沿って形成している側縁ガイドで規制し、折丁の後端を押し爪で押すことで、前記搬送路上を走行させ、その途中で折丁の上に添付物を供給し、その添付物も前記した側縁ガイドで位置規制を行いながら前記した押し爪で押すことで、折丁と添付物とを位置決めして重ね合わせ、下流の貼り付け位置に搬送する構成となっている。このため、折丁に対して貼り付ける添付物は、折丁に対して一方の側縁及び端縁を揃えた状態に位置決めされるのみであって、貼り付け位置に制限があり、折丁内の所望の位置に添付物を貼り付けることがきわめて困難であるという問題もあった。
【発明の開示】
【発明が解決しようとする課題】
【０００５】
本発明はかかる問題点に鑑みてなされたもので、ＣＤ−ＲＯＭ等の添付物を、折丁の所望位置に貼り付けることができ、また、製本ライン（丁合ライン）内にも組み込み可能な添付物貼込装置を提供することを目的とする
【課題を解決するための手段】
【０００６】
本発明はかかる従来の問題点を解決するため、添付物を貼り付けるべき折丁を、従来の製本ライン（丁合ライン）で用いている搬送チェーン（ギャザリングチェーン）と同様な搬送チェーンに、跨がらせた状態で且つ一定ピッチで保持させて搬送するようにし且つその折丁の走行経路の途中に貼込位置を設定し、更に、添付物を、前記貼込位置を通過する折丁に同期して且つその折丁の添付物貼付領域にほぼ等しい角度で送り込み、前記貼込位置を通過する折丁の前記添付物貼付領域に添付物の折丁貼付領域を重ね合わせて行くように、前記添付物を供給する添付物供給装置を設けると共に、前記貼込位置の上流に糊付与手段を設け、且つその貼込位置に添付物を折丁に押し付ける押し付け手段を設けるとい構成としたものである。
【発明の効果】
【０００７】
本発明は上述の構成であるので、搬送チェーンで搬送される折丁が貼込位置を通過する際に、添付物供給装置が添付物を同期して且つ重なるように供給しており、このため、折丁と添付物は貼込位置を重なった状態で通過することとなり、また、その上流で糊付与装置が折丁又は添付物に接着剤を付与しているので、貼込位置で重ね合わされた折丁と添付物との間には接着剤が介在した状態となっており、貼込位置で重ね合わされて通過する折丁と添付物を、貼込位置に設けた押し付け手段で押さえることで、折丁に添付物を貼り付けることができる。ここで、貼込位置を通過する折丁と添付物のタイミングを変えることで、折丁に対する添付物の貼り付け位置を折丁の進行方向に変更でき、また添付物供給装置が送り込む添付物の高さ方向の位置を変えることで、折丁に対する添付物の貼り付け位置を高さ方向にも変更でき、結局、折丁に対して所望位置に添付物を貼り込むことが可能となる。更に、本発明では折丁の搬送に従来の製本ラインに使用している搬送チェーンと同様な搬送チェーンを用い、製本ラインと同様な態様で折丁を保持させているので、本発明の貼込装置を製本ラインに容易に組み込むことができ、それによって、製本ライン内で添付物の貼込を行うことが可能となる。
【発明を実施するための最良の形態】
【０００８】
以下、本発明の実施の形態を図面を参照して詳細に説明する。
図１は製本ラインに組み込んだ本発明の実施例による添付物貼込装置の概略構成を示す斜視図、図２（ａ）、（ｂ）はそれぞれ、上記実施例の概略平面図及び概略側面図、図３は図１のＡ−Ａ矢視概略断面図、図４は図１のＢ−Ｂ矢視概略断面図、図５は上記の添付物貼込装置に設けている添付物供給装置及びその近傍を、上方から且つ添付物に平行方向に（図３の矢印Ｃ方向に）見た概略平面図、図６は上記の添付物貼込装置に設けている添付物供給装置及びその近傍を、ガイド手段の位置で切断して且つ添付物に直角方向に（図３の矢印Ｄ−Ｄ方向に）見た概略断面図である。
【０００９】
図１において、１は添付物を貼り込むべき折丁、２はその折丁１に貼り込む添付物であり、本実施例ではＣＤ−ＲＯＭを紙袋に収納したものである。この添付物２は、その上端のハッチングで示す領域２ａを接着剤等で折丁１に貼り付けることで折丁１に貼り込まれている。本明細書において、この領域２ａを折丁貼付領域と称し、折丁１の、折丁貼付領域２ａを貼り付けた領域を添付物貼付領域と称している。なお、添付物２としては、ＣＤ−ＲＯＭに限らず、葉書、封筒、化粧品サンプルを塗布した台紙等任意である。４は製本ラインの搬送チェーン（ギャザリングチェーン）であり、図３、図４にも示すように、折丁の走行経路の中央に固定して設けられているガイド５ａの両側を走行するように配置され、折丁１を保持する折丁保持部材４ａと、それを支持するローラーチェーン４ｂと、搬送チェーンの長手方向に一定ピッチで配置された押し爪４ｃ等を備えている。通常、搬送チェーン４は水平に配置され、一定速度で連続的に走行するように構成されている。
【００１０】
搬送チェーン４の、図１に示す領域の上下流には、その搬送チェーン４に沿って複数の折丁フィーダー（図示せず）が配置されており、搬送チェーン４上に、押し爪４ｃの通過にタイミングを合わせて折丁を次々と供給するようになっている。かくして、搬送チェーン４は、その上に折丁を跨がらせた状態で次々と乗せて丁合し且つ押し爪４ｃで定まる一定ピッチで保持して搬送することができる。図１は、添付物２を貼り込むべき折丁１が最も上に位置した状態で搬送チェーン４に保持されて走行している状態を示している。
【００１１】
搬送チェーン４の折丁保持部材４ａは、図３、図４から良く分かるように、折丁１を支持するための支持面が垂直に対して角度αだけ傾斜しており、従って折丁１は両側にそれぞれ角度αだけ傾斜した状態で保持されている。この角度αは、通常４０度程度に設定されている。本実施例では、この折丁保持部材４ａ傾斜した支持面で保持されている折丁部分に添付物２の先端の折丁貼込領域２ａ（図１参照）が貼り付けられる構成となっており、従って、折丁１の添付物貼込領域は、折丁保持部材４ａで支持され、垂直に対して角度αだけ傾斜している。なお、搬送チェーン４の走行部分の下方には、固定ガイド５ｂが設けられ、折丁１の下方の部分を案内するようになっている。
【００１２】
図１〜図６において、Ｐは、搬送チェーン４で搬送される折丁１の走行経路上に設定された貼込位置、６は、添付物２をその貼込位置Ｐに、その貼込位置Ｐを通過する折丁１に同期して且つその折丁の添付物貼付領域にほぼ等しい角度（図４に示す角度α）で送り込み、貼込位置Ｐを通過する折丁１の添付物貼付領域に添付物２の折丁貼付領域２ａを重ね合わせて行くように、添付物２を供給する添付物供給装置である。この添付物供給装置６は、添付物２を垂直に対して一定に角度に保持しながら所定の搬送経路に沿って案内するガイド手段７と、そのガイド手段７で案内される添付物２を走行させる送り手段８と、複数の添付物２をセットするための供給台９と、その供給台９から添付物２をガイド手段７に送り出すフィード手段１０等を備えている。以下、各部品を更に説明する。
【００１３】
図１、図３、図５、図６において、ガイド手段７は、添付物２の下端を支持して案内する底面ガイド１２と、添付物２の両側面の上下の部分を案内する側面ガイド１３等を備えている。この側面ガイド１３は、図３から良く分かるように、添付物２を、搬送チェーン４の折丁保持部材４ａで保持された折丁１の添付物貼付領域が垂直に対してなす角度αにほぼ等しい角度に傾斜した状態に保持して案内するように傾斜して設けられており、また、図５から良く分かるように、両側の側面ガイド１３で形成される添付物２の搬送経路１４が、搬送チェーン４で搬送される折丁１の走行経路Ｏ−Ｏに小さい角度θで、且つ貼込位置Ｐで交差するように配置されている。ここで、小さい角度θとしては、折丁１に添付物２がスムースに重ねられるよう極力小さい方が良いが、ガイド手段７や他の部品を走行中の折丁１に干渉しない位置に配置するためには或る程度の大きさが必要であり、これらを考慮して通常、５〜２０度程度に定められ、本実施例では１０度としている。
【００１４】
ガイド手段７の高さ方向の取付位置（底面ガイド１２の取付位置）は、そのガイド手段７で案内される添付物２の下端が、図２（ａ）、（ｂ）に一点鎖線１５で示す経路（以下下端経路という）を通過するように定められている。すなわち、図２（ｂ）に示すように、下端経路１５は、添付物２が貼付位置Ｐにおいて折丁１に接触する際、その添付物２の先端縁２ｂが、折丁１の先端縁１ｂに平行となるよう、水平に対して少し傾斜して設けられている。これは、折丁１が図４に示すように垂直面内では垂直に対して角度αだけ傾斜しており、且つガイド手段７の搬送経路が図５に示すように折丁１に対して角度θだけ傾斜しているため、貼込位置（交差位置）Ｐにおいて添付物２の先端縁２ｂを、折丁１の先端縁１ｂに平行とすると、添付物２の下端が水平に対して少し傾斜した状態となるためである。また、ガイド手段７による下端経路１５は、その下端経路に沿って走行した添付物２の先端縁２ｂが貼込位置Ｐに到達した時、その先端縁２ｂが、折丁１に対して高さ方向の所望の位置となるように定められている。かくして、ガイド手段７は、折丁１に貼り込むべき添付物２を、搬送チェーン４で搬送されている折丁１の添付物貼付領域にほぼ等しい角度に保持しながら（図３、図４参照）、該添付物を前記搬送チェーンで搬送される折丁の走行経路Ｏ−Ｏに小さい角度で交差する搬送経路１４に沿って走行するように案内し（図５参照）、貼込位置Ｐにおいて折丁１の所定の領域に重ね合わせることができる。
【００１５】
上記したように、図２（ｂ）において、ガイド手段７によって形成される添付物２の下端経路１５は、添付物２の先端縁２ｂを折丁１の先端縁１ｂに平行とするため、貼込位置Ｐに接する位置では傾斜していることが必要である。しかしながら、貼込位置Ｐから離れた位置では、必ずしも傾斜させる必要はなく、本実施例では、位置Ｑより遠くの領域を水平な下端経路１５ａとしている。このため、図２（ａ）に示すように、下端経路１５ａを平面で見た場合には、その下端経路１５ａは下端経路１５に比べて搬送チェーン４から急激に遠ざかる配置となる。このように下端経路１５ａを水平に配置すると、ガイド手段７を水平に配置できるので製造や管理が容易となり、また、下端経路１５ａを搬送チェーン４から急激に遠ざかる配置とすると、搬送チェーン４との間に他の部品を配置するスペースを確保しやすくなるという利点が得られる。
【００１６】
図１〜図６において、ガイド手段７で案内される添付物２を走行させる送り手段８は、搬送チェーン４に保持された折丁１のピッチ（すなわち、搬送チェーン４に取り付けている押し爪４ｃのピッチ）と等しいピッチで取り付けられた押しピン１７を備えた無端状駆動チェーン１８と、その無端状駆動チェーン１８を、押しピン１７がガイド手段７で案内されている添付物２を押して搬送するよう、ガイド手段７に沿って走行させるチェーン保持手段すなわちスプロケット２０と、その無端状駆動チェーン１８を搬送チェーン４と同一速度で走行させるチェーン駆動装置（図示せず）等を備えている。この構成により、送り装置８は、ガイド手段７で案内される添付物２を、搬送チェーン４で搬送される折丁１に同期して搬送することができ、貼付位置Ｐにおいて、折丁１の走行方向の一定位置に添付物２を重ね合わせるように供給することができ、且つ折丁１と同一速度で搬送することができる。
【００１７】
なお、厳密には、添付物２は貼込位置Ｐにおいて、角度θだけ方向変換しながら走行するので（図５参照）、押しピン１７による添付物２の、折丁走行経路Ｏ−Ｏ方向の搬送速度は、押しピン１７の速度×ｃｏｓθとなり、折丁１の搬送速度（押しピン１７の走行速度に等しい）よりもわずかに小さくなる。しかしながら、角度θはきわめて小さいので、添付物２の方向変換による速度低下はきわめて微小であり、また、添付物２は折丁１に貼り付けられながら走行するので、特に支障はない。もし、添付物２が貼込位置Ｐを通過して角度θだけ方向変換することによる速度低下が問題になる場合には、無端状駆動チェーン１８の走行速度を折丁１の搬送速度の１／ｃｏｓθとし、且つ押しピン１７のピッチを、折丁１のピッチの１／ｃｏｓθとすればよい。
【００１８】
図５、図６において、複数の添付物２をセットするための供給台９は、多数の添付物２を重ねた状態で、且つガイド手段７の側面ガイド１３で規制される添付物２に平行な状態で保持しうるものである。供給台９の先端には、供給台９にセットした多数の添付物の先端に位置する添付物２が、ガイド手段７の側面ガイド１３で形成される搬送経路１４の延長上に位置するように規制する位置決めガイド２１を設けると共に、先端の添付物２を横方向に移動させることでガイド手段７内に供給しうる構成となっている。また、供給台９のガイド手段７側の側面には、二枚送り防止用の規制部材２２が取り付けられている。
【００１９】
供給台９から添付物２をガイド手段７に送り出すフィード手段１０は、供給台９上の先端の添付物２を吸着保持可能なサッカー２４と、サッカー２４で先端の添付物２を吸着して横方向に引き出すため、そのサッカー２４を実線２５で示す循環経路に沿って移動させる駆動装置（図示せず）と、サッカー２４が先端の添付物２を吸着保持し、それを横に移動させた後、吸着保持を解除するようにサッカー２４への真空供給を制御する制御弁（図示せず）と、供給台９から横に引き出された添付物２を、更に搬送してガイド手段７の側面ガイド１３間に送り出すための搬送ローラ２７、２８、搬送ベルト２９、押さえローラ３０、３１等を備えている。かくして、供給台９にセットした添付物２の先端のものを、サッカー２４が横に引き出し、次いで、その添付物２を搬送ベルト２９と押さえローラ３０、３１によって更に横方向に搬送してガイド手段７に供給することができる。
【００２０】
ここで、図６から良く分かるように、ガイド手段７内の添付物２を走行させるための押しピン１７を備えた無端状駆動チェーン１８の走行経路は、搬送ベルト２９と押さえローラ３０、３１によってガイド手段７内に送り込まれた添付物２の後ろにおいて、押しピン１７がその添付物２の後方に上昇し、次いで添付物２の後端を押すことができるように定められている。また、サッカー２４による添付物２の取り出しタイミングは、押しピン１７が添付物２の走行する位置の下方にある時に添付物２がその上を通過してガイド手段７内に送り込まれるように定められている。かくして、フィード手段１０が、供給台９にセットされている添付物２を１個ずつ分離してガイド手段７内に送り込み、送り手段８が、その押しピン１７でその添付物２の後端を押すことで、添付物２をガイド手段７で案内された状態で、折丁の走行経路に対する貼付位置Ｐに向かって、且つ折丁１の走行に同期して搬送することができる。
【００２１】
図１〜図６において、３５は、折丁１の走行経路と添付物２の搬送経路１４との交差する貼込位置Ｐに配置され、添付物２の折丁貼付領域２ａを折丁１に押し付ける押し付け手段であり、本実施例では押さえコロが使用されている。この押さえコロ３５は、添付物２の上端縁近傍（折丁貼付領域を含む領域）を、折丁１の折丁保持部材４ａで保持された領域（添付物貼付領域を含む領域）に押し付けるよう配置されている。更に、押さえコロ３５には、搬送チェーン４の押し爪４ｃが通過する際に干渉しないようにするため、外周の一部に切り欠き３６（図５参照）を形成し且つ外周長さ（切り欠き３６の部分を含む）を搬送チェーン４の押し爪４ｃのピッチに等しく設定し、更に搬送チェーン４の走行に同期して回転駆動する構成としている。なお、押し爪４ｃの形状、取付位置によっては、或いは、添付物２の折丁１に対する貼り付け位置によっては、押さえコロ３５が押し爪４ｃに干渉しない場合があり、その場合には、当然押さえコロ３５に切り欠きを設ける必要はなく、また、外周長さも任意に設定できる。更に、押さえコロ３５はフリー回転する構成としてもよい。
【００２２】
図１、図３において、押さえコロ３５を配置した貼込位置Ｐの上流で且つガイド手段７による添付物２の搬送経路には、通過する添付物２の上端近傍の折丁貼付領域に適当な接着剤を付与する糊付与手段３８が設けられている。糊付与手段３８として、本実施例ではホットメルト接着剤を噴射塗布するものが使用されているが、他の形式のものを用いても良い。なお、糊付与手段３８の取付位置は、添付物２に対して糊を付与する位置に限らず、折丁１に糊を付与するように変更してもよい。更に、添付物２或いは折丁１に、あらかじめ、感圧性接着剤等の糊を付与しておくことも可能であり、その場合には糊付与手段３８は省略しうる。
【００２３】
次に、上記構成の添付物貼込装置の動作を説明する。図１において、搬送チェーン４が矢印Ｘ方向に一定速度で走行しており、その上流において搬送チェーン４上に折丁１が供給される。かくして、搬送チェーン４は折丁１を、押し爪４ｃによって定まる一定ピッチで保持して搬送している。一方、供給台９にセットされている添付物２が１個ずつ引き出されてガイド手段７内に送り込まれ、送り手段８が、その押しピン１７でその添付物２の後端を押すことで、添付物２をガイド手段７で案内された状態で、折丁の走行経路に交差する貼込位置Ｐに向かって、且つ搬送チェーン４による折丁１の走行に同期して搬送している。その途中、添付物２が糊付与手段３８の前を通過する際に、糊付与手段３８がホットメルト接着剤を噴射し、添付物２の上端縁近傍に塗布する。
【００２４】
そして、添付物２の先端が、折丁１の走行経路と添付物２の搬送経路との交差する貼込位置Ｐに到達すると、丁度その時、貼込位置Ｐを折丁１の所定の貼込開始位置が通過中であり、その折丁１の上に添付物２が重ね合わされ、押さえコロ３５が添付物２の上端縁近傍を折丁１に押し付ける（図４参照）。これによって、折丁１に添付物２が貼り付けられる。ここで、折丁１の添付物貼付領域は折丁保持部材４ａによって垂直に対して角度αだけ傾斜した状態に保持されているが、ガイド手段７で案内される添付物２も同様な角度に傾斜しているので、良好に重ね合わせられる。また、添付物２の搬送方向は折丁１の走行方向に対して小さい角度θ（図５参照）で交差するので、やはり良好に重ね合わせられる。かくして、走行中の折丁１に対して添付物２が良好に貼り付けられる。
【００２５】
一つの添付物２が一つの折丁１に貼り付けられながら押さえコロ３５の下を通過し、次の添付物２が貼込位置Ｐに到達すると、同時に次の折丁１の所定の貼込開始位置がその貼込位置Ｐを通過中であり、先に説明したように、折丁１の所定位置に添付物２が貼り込まれる。以下、同様にして、搬送チェーン４によって一定ピッチで連続的に走行している各折丁１の所定位置に、添付物２が貼り込まれる。
【００２６】
ここで、搬送チェーン４による折丁１の搬送と、送り手段８による添付物２の搬送の位相を変えることで、貼込位置Ｐにおいて折丁１に添付物２が突き当たるタイミングを変えることができ、従って、折丁１に対する添付物２の貼り付け位置を折丁１の進行方向に変更できる。換言すれば、図１において、折丁１の先端縁１ｂと添付物２の先端縁２ｂの間隔ｄを任意に調整できる。また、ガイド手段７の取付高さを変えることで、折丁１に対する添付物２の貼り付け位置を折丁の進行方向に直角方向にも変更でき、折丁１の背１ｃと添付物２の上端縁２ｃの間隔ｅを任意に調整できる。かくして、折丁１の任意の位置に添付物２を貼り込むことが可能である。なお、折丁１に対する添付物２の貼り付け位置を背１ｃより大きく離した場合には、折丁１の折丁保持部材４ａで保持した部分よりも下方の部分に添付物２を貼り付けることとなる場合がある。この場合には、押さえコロ３５で押される折丁１の裏面の支えが不十分となる場合があるので、その位置に受けコロを配置するとか固定ガイドを配置して折丁１の裏面を支える構成とすればよい。
【００２７】
図１において、添付物２を貼り込んだ折丁１は、搬送チェーン４によって更に下流に搬送され、搬送チェーン４に沿って配置された折丁フィーダーによって、折丁１の上に更に他の折丁が乗せられ、その後、綴じられ、製本される。このように、本実施例では、製本ラインの搬送チェーン４に乗せた折丁１に対して、添付物２の貼込を行うことができ、従って、製本ライン上でインラインで添付物の貼込を行うことができ、従来のように製本ラインとは別工程で添付物の貼込を行う場合に比べて、工程を簡略化でき、製本のコストダウンを図ることができる。
【００２８】
なお、本発明は製本ラインに組み込む場合に限らず、折丁に対する添付物の貼込のみを行う単独の装置としても使用可能である。この場合には、図１に示す搬送チェーン４の上流に、１台の折丁フィーダーを設け、下流には添付物２を貼り込んだ後の折丁を集積する装置を配置した構成とすればよい。
【００２９】
以上に説明したように、本発明によれば、搬送チェーンに跨がった状態で且つ一定ピッチで保持され、走行中の折丁に対して、添付物を自動的に貼り付けることができ、添付物の貼込に要する費用を低減できると共に、添付物の折丁に対する貼り付け位置を任意に設定できる等の効果を有している。
【００３０】
更に、本発明の貼込装置は製本ラインに組み込むことが可能であるので、製本ライン上でインラインで添付物の貼込を行うことができ、従来のように製本ラインとは別工程で添付物の貼込を行う場合に比べて、工程を簡略化でき、製本に要する費用、時間を共に短縮できるという効果も有している。
【図面の簡単な説明】
【００３１】
【図１】製本ラインに組み込んだ本発明の実施例による添付物貼込装置の概略構成を示す斜視図
【図２】（ａ）、（ｂ）はそれぞれ、上記実施例の概略平面図及び概略側面図
【図３】図１のＡ−Ａ矢視概略断面図
【図４】図１のＢ−Ｂ矢視概略断面図
【図５】図１の添付物貼込装置に設けている添付物供給装置及びその近傍を、上方から且つ添付物に平行方向に（図３の矢印Ｃ方向に）見た概略平面図
【図６】図１の添付物貼込装置に設けている添付物供給装置及びその近傍を、ガイド手段の位置で切断して且つ添付物に直角方向に（図３の矢印Ｄ−Ｄ方向に）見た概略断面図
【符号の説明】
【００３２】
１  折丁
２  添付物
２ａ  折丁貼付領域
４  搬送チェーン
４ａ  折丁保持部材
４ｃ  押し爪
６  添付物供給装置
７  ガイド手段
８  送り手段
９  供給台
１０  フィード手段
１２  底面ガイド
１３  側面ガイド
１４  搬送経路
１７  押しピン
１８  無端状チェーン
２４  サッカー
２９  搬送ベルト
３０、３１  押さえローラ
３５  押さえコロ
３８  糊付与手段
Ｐ  貼込位置
【図１】
2008030488.tif 000003
【図２】
2008030488.tif 000004
【図３】
2008030488.tif 000005
【図４】
2008030488.tif 000006
【図５】
2008030488.tif 000007
【図６】
2008030488.tif 000008